(57)【特許請求の範囲】
【請求項１】
ケースを含み、前記ケースの中の上端には伝動空間が設置され、前記ケースの中の下端には吸収空間が設置され、前記ケースの中の左端には従動空間が設置され、前記伝動空間の中には芝生にあるゴミ破片のピックアップ器に動力を提供する伝動機構が設置され、前記伝動空間の中にはまたゴミ破片を芝生にあるゴミ破片のピックアップ器の中に吸い込む吸気機構が設置され、前記吸収空間の中には芝生を動かしてゴミをピックアップすることを便利にする動かし機構が設置され、前記従動空間の中には芝生にあるゴミ破片のピックアップ器の中に吸い込まれたゴミを集中するこそげ取り機構が設置され、
前記動かし機構は前記従動空間の右側に位置する第二従動空間を含み、前記第二従動空間の下側には第一従動空間が設置され、前記第二従動空間の下内壁には一本の下端が前記第一従動空間の中に伸びた旋転軸が回転できるように連結され、前記旋転軸の下端にはカムが設置され、前記吸収空間の下端の左右内壁にはいずれも移動空間が一つ設置され、前記移動空間の左右内壁はそれぞれ前記第一従動空間及び前記吸収空間と連通し、二つの前記移動空間の中にはいずれも当該移動空間の中で上下方向にスライドできる移動ブロックが一つ設置され、前記移動ブロックの上端面には伸縮ばねが固定的に設置され、前記伸縮ばねの上端と前記移動空間の上内壁とが連結され、二つの前記移動ブロックの左右端壁の中にはいずれも押し動かし棒が貫通するように連結され、左側の前記押し動かし棒の左端は前記第一従動空間の中に伸びており、二つの前記押し動かし棒の中間には前記吸収空間の中に位置する押し動かしブロックが一つ設置され、前記押し動かしブロックの中には上下に貫通した混ざり物吸入口が一つ設置され、前記押し動かしブロックの前後両端にはいずれも動かし空間が一つ設置され、前記動かし空間の左右内壁には一本の固定棒が固定的に設置され、二つの前記固定棒にはいずれも五つの固定ブロックが固定的に設置され、前記固定ブロックの下端にはいずれも一つの動かし棒が固定的に設置され、前記押し動かしブロックの左右端面にはいずれも一つの復帰ばねが設置され、前記復帰ばねはいずれも前記吸収空間の左右内壁と連結され、前記押し動かしブロックは前記吸収空間の中で左右方向に運動することができることを特徴とする芝生にあるゴミ破片のピックアップ器。
【請求項２】
前記伝動機構は前記伝動空間の上内壁に固定されたモーターを含み、前記モーターの下端には伝動軸が伝動できるように連結され、前記伝動軸には前記伝動空間の中に位置する第一傘歯車が設置され、前記第二従動空間の左内壁には右端が前記伝動空間の中に伸びた一本の旋転棒が回転できるように連結され、前記旋転棒の右端には前記第一傘歯車と噛み合うように連結された第二傘歯車が設置され、前記旋転棒の左端には前記第二従動空間の中に位置する第三傘歯車が設置されていることを特徴とする請求項１に記載の芝生にあるゴミ破片のピップアップ器。
【請求項３】
前記吸気機構は前記伝動空間の下側に位置するファン空間を含み、前記ファン空間の上下内壁はいずれも風が通る材料の通気性付き板であり、前記伝動軸の下端には前記ファン空間の中に位置する二つの羽根が設置され、前記伝動空間の右内壁には外部空間に連通した吹出口が設置され、前記吸収空間の右側には収集空間が設置され、前記収集空間の左内壁には前記吸収空間に連通した混ざり物入り口が設置され、前記混ざり物入り口の中には当該混ざり物入り口の中で左右方向にスライドできる止め板が設置され、前記収集空間の上内壁には下方に開口したスライド空間が設置され、前記スライド空間の中には当該スライド空間の中で左右方向にスライドできるスライドブロックが設置され、前記スライドブロックの左端面には前記スライド空間の左内壁と連結される弾性ばねが固定的に設置され、前記スライドブロックの下端面と前記止め板とが固定的に連結され、前記収集空間の上内壁には外部空間に連通した混ざり物除去口が設置されていることを特徴とする請求項１に記載の芝生にあるゴミ破片のピップアップ器。
【請求項４】
前記こそげ取り機構は前記旋転軸の上端に設置され、かつ半分の歯が付いた半歯車を含み、前記旋転軸の上端にはまた前記第三傘歯車と噛み合うように連結された第四傘歯車が設置され、前記第二従動空間の右内壁には前記吸収空間の中に連通した抜き穴が設置され、前記抜き穴の中には当該抜き穴の中で左右方向に運動できるスキージが設置され、前記スキージの下端の端面には制限ブロックが固定的に設置され、前記制限ブロックの中には固定軸が固定的に設置され、前記固定軸にはロールスクリーン輪が設置され、前記ロールスクリーン輪にはロールスクリーンが巻き付いており、前記ロールスクリーンの左端と前記抜き穴の左内壁とが固定的に連結され、前記スキージの左端面には前記半歯車と噛み合うように連結された一つのラックが固定的に設置され、前記ラックの左端面には固定板が固定的に設置され、前記固定板の右端面には前記従動空間の右内壁と連結された圧縮ばねが固定的に設置され、前記スキージの右端面にはこそげ取りブロックが固定的に設置されていることを特徴とする請求項２に記載の芝生にあるゴミ破片のピップアップ器。
【請求項５】
前記弾性ばねの引張力は前記スライドブロックが前記スライド空間の中でスライドする時に受けた摩擦力より大きいことを特徴とする請求項３に記載の芝生にあるゴミ破片のピップアップ器。
【発明の詳細な説明】
【技術分野】
【０００１】
本発明は環境保護分野に関わり、具体的には芝生にあるゴミ破片のピップアップ器である。
【背景技術】
【０００２】
環境保護の宣伝強度が増えるとともに、土地緑化面積も増えてきた。よく見られるのは芝生であり、道端や公園などどこにも芝生が見え、しかし、礼儀正しくない人は芝生を大切にする意識が欠けてゴミを勝手に芝生の中に捨てる。
今まで、芝生の中にあるゴミは大体清掃員によってピックアップされるのであるが、芝生にある一部のゴミ破片は清掃しにくく、清掃員による清掃は大量の労働力がかかる必要があり、かつ清掃効率は低い。
【先行技術文献】
【特許文献】
【０００３】
【特許文献１】中国特許出願公開第１０１４９２９１１号明細書
【発明の概要】
【発明が解決しようとする課題】
【０００４】
本発明の解決しようとする問題は芝生にあるゴミ破片のピックアップ器を提供し、それは清掃が徹底しない問題や人件費がかかりすぎる問題などを解決し、清掃効率を高めて人件費を下げることができる。
【課題を解決するための手段】
【０００５】
本発明は以下の技術プランによって実現される。
【０００６】
本発明の芝生にあるゴミ破片のピックアップ器は、ケースを含み、前記ケースの中の上端には伝動空間が設置され、前記ケースの中の下端には吸収空間が設置され、前記ケースの中の左端には従動空間が設置され、前記伝動空間の中には芝生にあるゴミ破片のピックアップ器に動力を提供する伝動機構が設置され、前記伝動空間の中にはまたゴミ破片を芝生にあるゴミ破片のピックアップ器の中に吸い込む吸気機構が設置され、前記吸収空間の中には芝生を動かしてゴミをピックアップすることを便利にする動かし機構が設置され、前記従動空間の中には芝生にあるゴミ破片のピックアップ器の中に吸い込まれたゴミを集中するこそげ取り機構が設置されている。
【０００７】
前記動かし機構は前記従動空間の右側に位置する第二従動空間を含み、前記第二従動空間の下側には第一従動空間が設置され、前記第二従動空間の下内壁には一本の下端が前記第一従動空間の中に伸びた旋転軸が回転できるように連結され、前記旋転軸の下端にはカムが設置され、前記吸収空間の下端の左右内壁にはいずれも移動空間が一つ設置され、前記移動空間の左右内壁はそれぞれ前記第一従動空間及び前記吸収空間と連通し、二つの前記移動空間の中にはいずれも当該移動空間の中で上下方向にスライドできる移動ブロックが一つ設置され、前記移動ブロックの上端面には伸縮ばねが固定的に設置され、前記伸縮ばねの上端と前記移動空間の上内壁とが連結され、二つの前記移動ブロックの左右端壁の中にはいずれも押し動かし棒が貫通するように連結され、左側の前記押し動かし棒の左端は前記第一従動空間の中に伸びており、二つの前記押し動かし棒の中間には前記吸収空間の中に位置する押し動かしブロックが一つ設置され、前記押し動かしブロックの中には上下に貫通した混ざり物吸入口が一つ設置され、前記押し動かしブロックの前後両端にはいずれも動かし空間が一つ設置され、前記動かし空間の左右内壁には一本の固定棒が固定的に設置され、二つの前記固定棒にはいずれも五つの固定ブロックが固定的に設置され、前記固定ブロックの下端にはいずれも一つの動かし棒が固定的に設置され、前記押し動かしブロックの左右端面にはいずれも一つの復帰ばねが設置され、前記復帰ばねはいずれも前記吸収空間の左右内壁と連結され、前記押し動かしブロックは前記吸収空間の中で左右方向に運動することができる。
【０００８】
さらに、前記伝動機構は前記伝動空間の上内壁に固定されたモーターを含み、前記モーターの下端には伝動軸が伝動できるように連結され、前記伝動軸には前記伝動空間の中に位置する第一傘歯車が設置され、前記第二従動空間の左内壁には右端が前記伝動空間の中に伸びた一本の旋転棒が回転できるように連結され、前記旋転棒の右端には前記第一傘歯車と噛み合うように連結された第二傘歯車が設置され、前記旋転棒の左端には前記第二従動空間の中に位置する第三傘歯車が設置されている。
【０００９】
さらに、前記吸気機構は前記伝動空間の下側に位置するファン空間を含み、前記ファン空間の上下内壁はいずれも風が通る材料の通気性付き板であり、前記伝動軸の下端には前記ファン空間の中に位置する二つの羽根が設置され、前記伝動空間の右内壁には外部空間に連通した吹出口が設置され、前記吸収空間の右側には収集空間が設置され、前記収集空間の左内壁には前記吸収空間に連通した混ざり物入り口が設置され、前記混ざり物入り口の中には当該混ざり物入り口の中で左右方向にスライドできる止め板が設置され、前記収集空間の上内壁には下方に開口したスライド空間が設置され、前記スライド空間の中には当該スライド空間の中で左右方向にスライドできるスライドブロックが設置され、前記スライドブロックの左端面には前記スライド空間の左内壁と連結される弾性ばねが固定的に設置され、前記スライドブロックの下端面と前記止め板とが固定的に連結され、前記収集空間の上内壁には外部空間に連通した混ざり物除去口が設置されている。
【００１０】
さらに、前記こそげ取り機構は前記旋転軸の上端に設置され、かつ半分の歯が付いた半歯車を含み、前記旋転軸の上端にはまた前記第三傘歯車と噛み合うように連結された第四傘歯車が設置され、前記第二従動空間の右内壁には前記吸収空間の中に連通した抜き穴が設置され、前記抜き穴の中には当該抜き穴の中で左右方向に運動できるスキージが設置され、前記スキージの下端の端面には制限ブロックが固定的に設置され、前記制限ブロックの中には固定軸が固定的に設置され、前記固定軸にはロールスクリーン輪が設置され、前記ロールスクリーン輪にはロールスクリーンが巻き付いており、前記ロールスクリーンの左端と前記抜き穴の左内壁とが固定的に連結され、前記スキージの左端面には前記半歯車と噛み合うように連結された一つのラックが固定的に設置され、前記ラックの左端面には固定板が固定的に設置され、前記固定板の右端面には前記従動空間の右内壁と連結された圧縮ばねが固定的に設置され、前記スキージの右端面にはこそげ取りブロックが固定的に設置されている。
【００１１】
さらに、前記弾性ばねの引張力は前記スライドブロックが前記スライド空間の中でスライドする時に受けた摩擦力より大きい。
【発明の効果】
【００１２】
本発明の有益的な効果は：本発明の芝生にあるゴミ破片のピップアップ器は構成が簡単で、操作が便利であり、芝生にあるゴミ破片のピップアップ器は作動する時に、芝生表面にあるゴミ破片を清掃できるだけではなく、芝生を繰り返して動かして芝生に隠されたゴミ破片を出してすぐに処理でき、清掃の徹底さと効率を高める。
【図面の簡単な説明】
【００１３】
下記に図１〜５を参考して本願発明について詳しく説明し、説明に便利を与えるために、後文に出る方向を以下のように規定する：図１は本願発明の正面図であり、後文に述べる上下左右前後の方向は図１の自身投影関係の上下左右前後の方向と一致である。
【００１４】
【図１】図１は本発明実施例の構成概略図
【図２】図２は本発明実施例の動かし機構全断面の平面構成概略図
【図３】図３は本発明実施例の図１においてＡの構成概略図
【図４】図４は本発明実施例の図１においてＢの構成概略図
【図５】図５は本発明実施例の図１においてＣの構成概略図
【発明を実施するための形態】
【００１５】
図面１〜５に示している芝生にあるゴミ破片のピックアップ器を参照すると、ケース１０を含み、前記ケース１０の中の上端には伝動空間３５が設置され、前記ケース１０の中の下端には吸収空間１１が設置され、前記ケース１０の中の左端には従動空間２５が設置され、前記伝動空間３５の中には芝生にあるゴミ破片のピックアップ器に動力を提供する伝動機構３２が設置され、前記伝動空間３５の中にはまたゴミ破片を芝生にあるゴミ破片のピックアップ器の中に吸い込む吸気機構３９が設置され、前記吸収空間１１の中には芝生を動かしてゴミをピックアップすることを便利にする動かし機構１４が設置され、前記従動空間２５の中には芝生にあるゴミ破片のピックアップ器の中に吸い込まれたゴミを集中するこそげ取り機構２２が設置され、前記動かし機構１４は前記従動空間２５の右側に位置する第二従動空間６０を含み、前記第二従動空間６０の下側には第一従動空間２７が設置され、前記第二従動空間６０の下内壁には一本の下端が前記第一従動空間２７の中に伸びた旋転軸２３が回転できるように連結され、前記旋転軸２３の下端にはカム１５が設置され、前記吸収空間１１の下端の左右内壁にはいずれも移動空間４６が一つ設置され、前記移動空間４６の左右内壁はそれぞれ前記第一従動空間２７及び前記吸収空間１１と連通し、二つの前記移動空間４６の中にはいずれも当該移動空間４６の中で上下方向にスライドできる移動ブロック４４が一つ設置され、前記移動ブロック４４の上端面には伸縮ばね４５が固定的に設置され、前記伸縮ばね４５の上端と前記移動空間４６の上内壁とが連結され、二つの前記移動ブロック４４の左右端壁の中にはいずれも押し動かし棒４３が貫通するように連結され、左側の前記押し動かし棒４３の左端は前記第一従動空間２７の中に伸びており、二つの前記押し動かし棒４３の中間には前記吸収空間１１の中に位置する押し動かしブロック１３が一つ設置され、前記押し動かしブロック１３の中には上下に貫通した混ざり物吸入口５４が一つ設置され、前記押し動かしブロック１３の前後両端にはいずれも動かし空間５３が一つ設置され、前記動かし空間５３の左右内壁には一本の固定棒６３が固定的に設置され、二つの前記固定棒６３にはいずれも五つの固定ブロック５２が固定的に設置され、前記固定ブロック５２の下端にはいずれも一つの動かし棒１２が固定的に設置され、前記押し動かしブロック１３の左右端面にはいずれも一つの復帰ばね４７が設置され、前記復帰ばね４７はいずれも前記吸収空間１１の左右内壁と連結され、前記押し動かしブロック１３は前記吸収空間１１の中で左右方向に運動することができる。
【００１６】
有益なように、前記伝動機構３２は前記伝動空間３５の上内壁に固定されたモーター３１を含み、前記モーター３１の下端には伝動軸３０が伝動できるように連結され、前記伝動軸３０には前記伝動空間３５の中に位置する第一傘歯車３６が設置され、前記第二従動空間６０の左内壁には右端が前記伝動空間３５の中に伸びた一本の旋転棒６５が回転できるように連結され、前記旋転棒６５の右端には前記第一傘歯車３６と噛み合うように連結された第二傘歯車２９が設置され、前記旋転棒６５の左端には前記第二従動空間６０の中に位置する第三傘歯車２６が設置されている。
【００１７】
有益なように、前記吸気機構３９は前記伝動空間３５の下側に位置するファン空間６４を含み、前記ファン空間６４の上下内壁はいずれも風が通る材料の通気性付き板１６であり、前記伝動軸３０の下端には前記ファン空間６４の中に位置する二つの羽根３８が設置され、前記伝動空間３５の右内壁には外部空間に連通した吹出口３４が設置され、前記吸収空間１１の右側には収集空間４２が設置され、前記収集空間４２の左内壁には前記吸収空間１１に連通した混ざり物入り口４１が設置され、前記混ざり物入り口４１の中には当該混ざり物入り口の中で左右方向にスライドできる止め板６６が設置され、前記収集空間４２の上内壁には下方に開口したスライド空間６７が設置され、前記スライド空間６７の中には当該スライド空間６７の中で左右方向にスライドできるスライドブロック６８が設置され、前記スライドブロック６８の左端面には前記スライド空間６７の左内壁と連結される弾性ばね７０が固定的に設置され、前記スライドブロック６８の下端面と前記止め板６６とが固定的に連結され、前記収集空間４２の上内壁には外部空間に連通した混ざり物除去口４０が設置されている。
【００１８】
有益なように、前記こそげ取り機構２２は前記旋転軸２３の上端に設置され、かつ半分の歯が付いた半歯車１８を含み、前記旋転軸２３の上端にはまた前記第三傘歯車２６と噛み合うように連結された第四傘歯車２８が設置され、前記第二従動空間６０の右内壁には前記吸収空間１１の中に連通した抜き穴５５が設置され、前記抜き穴５５の中には当該抜き穴５５の中で左右方向に運動できるスキージ１７が設置され、前記スキージ１７の下端の端面には制限ブロック５１が固定的に設置され、前記制限ブロック５１の中には固定軸４９が固定的に設置され、前記固定軸４９にはロールスクリーン輪５０が設置され、前記ロールスクリーン輪５０にはロールスクリーン４８が巻き付いており、前記ロールスクリーン４８の左端と前記抜き穴５５の左内壁とが固定的に連結され、前記スキージ１７の左端面には前記半歯車１８と噛み合うように連結された一つのラック１９が固定的に設置され、前記ラック１９の左端面には固定板２０が固定的に設置され、前記固定板２０の右端面には前記従動空間２５の右内壁と連結された圧縮ばね２１が固定的に設置され、前記スキージ１７の右端面にはこそげ取りブロック７１が固定的に設置されている。
【００１９】
有益なように、前記弾性ばね７０の引張力は前記スライドブロック６８が前記スライド空間６７の中でスライドする時に受けた摩擦力より大きい。
【００２０】
芝生にあるゴミ破片のピップアップ器全体の機械動作の順序は下記の通りである。
【００２１】
１：モーター３１を始動し、モーター３１の作動は伝動軸３０の回転を駆動し、そして第一傘歯車３６と二つの羽根３６との回転を駆動し、羽根３８の回転によって生み出された吸引力は芝生にあるゴミ破片を吸収空間１１の中に吸い込んで通気性付き板１６に付着させ、風は羽根３６の作用のもとで吸収空間１１の下端から吹出口３４を経由して芝生にあるゴミ破片のピップアップ器から送り出される。
【００２２】
２：第一傘歯車３６の回転は第一傘歯車３６と噛み合うように連結された第二傘歯車２９の回転を駆動し、そして旋転棒６５の回転を駆動し、旋転棒６５の回転は第三傘歯車２６の回転を駆動し、さらに第三傘歯車２６と噛み合うように連結された第四傘歯車２８の回転を駆動し、第四傘歯車２８の回転は半歯車１８とカム１５との回転を駆動し、カム１５の回転は押し動かし棒４３を右方に押し動かし、そして押し動かしブロック１３を右方に運動するように押し動かし、押し動かしブロック１３の右方への運動は押し動かしブロック１３にある十本の動かし棒１２を連動し、さらに十本の動かし棒１２が芝生を右方に動かして隠されたゴミ破片を出してピックアップすることを便利にさせ、カム１５は押し動かし棒４３と当接しなくなるまで回転すると、押し動かしブロック１３は復帰ばね４７の作用のもとで左方に運動して復帰し、そして動かし棒１２を左方へ芝生を動かすように駆動し、芝生に隠されたゴミ破片に上記のステップを繰り返して徹底的にゴミをピックアップする。
【００２３】
３：半歯車１８は回転し、半歯車１８は歯を有する部分がラック１９と噛み合うまで回転すると、ラック１９を右方に運動するように駆動し、そしてスキージ１７及びこそげ取りブロック７１を右方に運動するように押し動かし、通気性付き板１６に付着したゴミ破片をこそげ取り、かつ右方に押し動かし、こそげ取りブロック７１は右方に運動して止め板６６と当接すると、止め板６６及びスライドブロック６８を右方に運動するように押し動かし、収集空間４２は吸収空間１１と連通し、ゴミ破片はスキージ１７によって収集空間４２の中に押し動かして収集し、半歯車１８は歯を有しない部分がラック１９と噛み合うまで回転すると、ラック１９は半歯車１８との噛合から離脱し、ラック１９は圧縮ばね２１の引張力作用のもとで左方に運動して復帰し、そしてスキージ１７とこそげ取りブロック７１とを左方に運動するように駆動して復帰させる。
【００２４】
４：スライドブロック６８はこそげ取りブロック７１の推力を失って弾性ばね７０の引張力作用のもとで左方に運動して復帰し、止め板６６は左方に運動して再び混ざり物入り口４１の中に戻り、上記のように繰り返して通気性付き板１６に付着したゴミ破片全部を収集空間４２の中に清掃して収集し、最終的にゴミ破片を混ざり物除去口４０を通して収集空間４２を経由して芝生にあるゴミ破片のピックアップ器から除去する。
【００２５】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明は芝生にあるゴミ破片のピップアップ器を開示した。
【解決手段】
ケースを含み、前記ケースの中の上端には伝動空間が設置され、前記ケースの中の下端には吸収空間が設置され、前記ケースの中の右端には従動空間が設置され、前記伝動空間の中には芝生にあるゴミ破片のピックアップ器に動力を提供する伝動機構が設置され、本発明の芝生にあるゴミ破片のピップアップ器は構成が簡単で、操作が便利であり、芝生にあるゴミ破片のピップアップ器は作動する時に、芝生表面にあるゴミ破片を清掃できるだけではなく、芝生を繰り返して動かして芝生に隠されたゴミ破片を出してすぐに処理でき、清掃の徹底さと効率を高める。
【選択図】図１【図１】
0006718094.tif 000002
【図２】
0006718094.tif 000003
【図３】
0006718094.tif 000004
【図４】
0006718094.tif 000005
【図５】
0006718094.tif 000006